(57)【要約】  ワイヤレスメッセージの交換に少なくとも部分的に基づいてデバイス間の範囲を取得するための方法、システムおよびデバイスが開示される。たとえば、ワイヤレスデバイスは、交換ファインタイミング測定（ＦＴＭ）メッセージに少なくとも部分的に基づいて、範囲の測定値を取得し得る。一実装形態では、開始ワイヤレス局は、開始ワイヤレス局にＦＴＭメッセージを送信するための要求されたセッションのための無期限持続時間を指定する１つまたは複数のフィールドを備える初期ＦＴＭ要求メッセージを応答ワイヤレス局に送信し得る。【選択図】図６Ａ
2019500772.tif 000002
【特許請求の範囲】
【請求項１】
開始ワイヤレス局（ＳＴＡ）における、
要求されたファインタイミング測定（ＦＴＭ）セッションのための拡張持続時間を指定する１つまたは複数のフィールドを備えるＦＴＭ要求メッセージを送信することと、
前記ＦＴＭ要求メッセージに応答して送信された１つまたは複数のＦＴＭメッセージを受信することと
を備える、方法。
【請求項２】
前記指定された拡張持続時間は、無期限持続時間を備える、
請求項１に記載の方法。
【請求項３】
前記初期ＦＴＭ要求メッセージは、前記無期限持続時間を指定する少なくとも１つのビットを備える、
請求項２に記載の方法。
【請求項４】
前記少なくとも１つのビットは、前記ＦＴＭ要求メッセージの「バースト持続時間」フィールド中にある、
請求項３に記載の方法。
【請求項５】
前記少なくとも１つのビットは、少なくとも１つのフィールドの修正を指定する、
請求項３に記載の方法。
【請求項６】
前記１つまたは複数のフィールドは、２よりも大きい底に対する指数を指定する「バースト数指数」を指定する、
請求項１に記載の方法。
【請求項７】
前記底は、４、８または１０である、
請求項６に記載の方法。
【請求項８】
ワイヤレス局（ＳＴＡ）であって、
トランシーバデバイスと、
前記トランシーバデバイスに結合された１つまたは複数のプロセッサと
を備え、前記１つまたは複数のプロセッサは、
要求されたファインタイミング測定（ＦＴＭ）セッションのための拡張持続時間を指定する１つまたは複数のフィールドを備えるＦＴＭ要求メッセージの、前記トランシーバデバイスを通した送信を開始することと、
前記トランシーバデバイスにおいて受信され、前記ＦＴＭ要求メッセージに応答して送信された１つまたは複数のＦＴＭメッセージを取得することと
を行うように構成された、ワイヤレスＳＴＡ。
【請求項９】
前記指定された拡張持続時間は、無期限持続時間を備える、
請求項８に記載のワイヤレスＳＴＡ。
【請求項１０】
前記初期ＦＴＭ要求メッセージは、前記無期限持続時間を指定する少なくとも１つのビットを備える、
請求項９に記載のワイヤレスＳＴＡ。
【請求項１１】
前記少なくとも１つのビットは、少なくとも１つのフィールドの修正を指定する、
請求項１０に記載のワイヤレスＳＴＡ。
【請求項１２】
前記１つまたは複数のフィールドは、２よりも大きい底に対する指数を指定する「バースト数指数」を指定する、
請求項８に記載のワイヤレスＳＴＡ。
【請求項１３】
前記底は、４、８または１０である、
請求項１２に記載のワイヤレスＳＴＡ。
【請求項１４】
応答ワイヤレス局（ＳＴＡ）のプロセッサによって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージの、前記ワイヤレス局トランシーバデバイスを通した前記送信を開始することと、
前記応答ＳＴＡにおいて受信され、前記ＦＴＭ要求メッセージに応答して送信された１つまたは複数のＦＴＭメッセージを取得することと
を行うために実行可能である、その上に記憶されたコンピュータ可読命令を備える記憶媒体。
【請求項１５】
前記指定された拡張持続時間は、無期限持続時間を備える、
請求項１４に記載の記憶媒体。
【請求項１６】
前記初期ＦＴＭ要求メッセージは、前記無期限持続時間を指定する少なくとも１つのビットを備える、
請求項１５に記載の記憶媒体。
【請求項１７】
前記少なくとも１つのビットは、少なくとも１つのフィールドの修正を指定する、
請求項１６に記載の記憶媒体。
【請求項１８】
前記１つまたは複数のフィールドは、２よりも大きい底に対する指数を指定する「バースト数指数」を指定する、
請求項１４に記載の記憶媒体。
【請求項１９】
前記底は、４、８または１０である、
請求項１８に記載の記憶媒体。
【請求項２０】
ワイヤレス局（ＳＴＡ）であって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージを前記送信するための手段と、
前記ＦＴＭ要求メッセージに応答して送信された１つまたは複数のＦＴＭメッセージを受信するための手段と
を備える、ＳＴＡ。
【請求項２１】
前記指定された拡張持続時間は、無期限持続時間を備える、
請求項２０に記載のＳＴＡ。
【請求項２２】
前記初期ＦＴＭ要求メッセージは、前記無期限持続時間を指定する少なくとも１つのビットを備える、
請求項２１に記載のＳＴＡ。
【請求項２３】
前記少なくとも１つのビットは、少なくとも１つのフィールドの修正を指定する、
請求項２２に記載のＳＴＡ。
【請求項２４】
前記１つまたは複数のフィールドは、２よりも大きい底に対する指数を指定する「バースト数指数」を指定する、
請求項２０に記載のＳＴＡ。
【請求項２５】
前記底は、４、８または１０である、
請求項２４に記載のＳＴＡ。
【発明の詳細な説明】
【関連出願】
【０００１】
本出願は、その全体が参照により本明細書に組み込まれる、２０１５年１１月１３日に出願された「Methods and Systems for a Ranging Protocol」と題する米国仮出願第６２／２５５，２９８号、および２０１６年１月１５日に出願された「Methods and Systems for a Ranging Protocol」と題する米国仮出願第６２／２７９，４８１号、ならびに２０１６年１１月１０日に出願された「Methods and Systems for a Ranging Protocol」と題する米国非仮出願第１５／３４８，８５１号の利益を主張する。
【技術分野】
【０００２】
[0001]本明細書で説明される実施形態は、モバイル送信機から収集された信号の測定値を取得することを対象とする。
【背景技術】
【０００３】
[0002]全地球測位システム（ＧＰＳ）などの衛星測位システム（ＳＰＳ）は、屋外環境におけるモバイルハンドセットのためのナビゲーションサービスを可能にした。同様に、屋内環境においてモバイルデバイスの位置の推定値を取得するための特定の技法は、宅内ベニュー、政府ベニューまたは商業ベニューなど、特定の屋内ベニューにおける拡張ロケーションベースサービスを可能にし得る。たとえば、モバイルデバイスと固定ロケーションに位置するトランシーバとの間の範囲は、第１のデバイスから第２のデバイスへの第１のメッセージの送信と、第１のメッセージに応答して送信された、第１のデバイスにおける第２のメッセージの受信との間で測定されたラウンドトリップ時間（ＲＴＴ）の測定値に少なくとも部分的に基づいて測定され得る。
【発明の概要】
【０００４】
[0003]手短に言えば、特定の一実装形態は、開始ワイヤレス局（ＳＴＡ）における、要求されたファインタイミング測定（ＦＴＭ：fine timing measurement）セッションのための拡張持続時間を指定する１つまたは複数のフィールドを備えるＦＴＭ要求メッセージを送信することを備える方法を対象とする。
【０００５】
[0004]別の特定の実装形態は、トランシーバデバイスと、トランシーバデバイスに結合された１つまたは複数のプロセッサとを備えるワイヤレス局（ＳＴＡ）であって、１つまたは複数のプロセッサが、要求されたファインタイミング測定（ＦＴＭ）セッションのための拡張持続時間を指定する１つまたは複数のフィールドを備える初期ＦＴＭ要求メッセージの、トランシーバデバイスを通した送信を開始するように構成された、ワイヤレスＳＴＡを対象とする。
【０００６】
[0005]別の特定の実装形態は、応答ワイヤレス局（ＳＴＡ）のプロセッサによって、開始ＳＴＡへのファインタイミング測定（ＦＴＭ）メッセージの送信のための要求されたセッションのための拡張持続時間を指定する１つまたは複数のフィールドを備える初期ＦＴＭ要求メッセージの、ワイヤレス局トランシーバデバイスを通した送信を開始するために実行可能である、その上に記憶されたコンピュータ可読命令を備える記憶媒体を対象とする。
【０００７】
[0006]別の特定の実装形態は、ワイヤレス局（ＳＴＡ）であって、開始ＳＴＡへのファインタイミング測定（ＦＴＭ）メッセージの送信のための要求されたセッションのための拡張持続時間を指定する１つまたは複数のフィールドを備える初期ＦＴＭ要求メッセージを送信するための手段と、初期ＦＴＭ要求メッセージに応答して送信された１つまたは複数のＦＴＭメッセージを受信するための手段とを備えるＳＴＡを対象とする。
【０００８】
[0007]別の特定の実装形態は、応答ワイヤレス局（ＳＴＡ）における方法であって、要求されたファインタイミング測定（ＦＴＭ）セッションのための拡張持続時間を指定する１つまたは複数のフィールドを備えるＦＴＭ要求メッセージを受信することと、拡張持続時間を指定する１つまたは複数のフィールドに少なくとも部分的に基づいて、開始ＳＴＡに１つまたは複数のＦＴＭメッセージを送信することとを備える方法を対象とする。
【０００９】
[0008]別の特定の実装形態は、ワイヤレス局（ＳＴＡ）であって、トランシーバデバイスと、１つまたは複数のプロセッサとを備え、１つまたは複数のプロセッサが、開始ＳＴＡへのファインタイミング測定（ＦＴＭ）メッセージの送信のための要求されたセッションのための拡張持続時間を指定する１つまたは複数のフィールドを備える、トランシーバデバイスにおいて受信された初期ＦＴＭ要求メッセージを取得することと、拡張持続時間を指定する１つまたは複数のフィールドに少なくとも部分的に基づいて、開始ＳＴＡへのトランシーバデバイスを通した１つまたは複数のＦＴＭメッセージの送信を開始することとを行うように構成された、ワイヤレスＳＴＡを対象とする。
【００１０】
[0009]別の特定の実装形態は、応答ワイヤレス局（ＳＴＡ）のプロセッサによって、開始ＳＴＡへのファインタイミング測定（ＦＴＭ）メッセージの送信のための要求されたセッションのための拡張持続時間を指定する１つまたは複数のフィールドを備える、応答ＳＴＡにおいて受信された初期ＦＴＭ要求メッセージを取得することと、拡張持続時間を指定する１つまたは複数のフィールドに少なくとも部分的に基づいて、開始ＳＴＡへのトランシーバデバイスを通した１つまたは複数のＦＴＭメッセージの送信を開始することとを行うために実行可能である、その上に記憶されたコンピュータ可読命令を備える記憶媒体を対象とする。
【００１１】
[00010]別の特定の実装形態は、ワイヤレス局（ＳＴＡ）であって、開始ＳＴＡへのファインタイミング測定（ＦＴＭ）メッセージの送信のための要求されたセッションのための拡張持続時間を指定する１つまたは複数のフィールドを備える初期ＦＴＭ要求メッセージを受信するための手段と、拡張持続時間を指定する１つまたは複数のフィールドに少なくとも部分的に基づいて、開始ＳＴＡに１つまたは複数のＦＴＭメッセージを送信するための手段とを備えるワイヤレスＳＴＡを対象とする。
【００１２】
[00011]別の特定の実装形態は、応答ワイヤレス局（ＳＴＡ）における方法であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信することとを備える、方法を対象とする。
【００１３】
[00012]別の特定の実装形態は、開始ワイヤレス局（ＳＴＡ）における方法であって、開始ＳＴＡへのファインタイミング測定（ＦＴＭ）メッセージの１つまたは複数のバーストの送信のためのセッションにおいて応答ＳＴＡからのＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための少なくとも１つのＦＴＭメッセージを応答ＳＴＡから受信することとを備える、方法を対象とする。
【００１４】
[00013]別の特定の実装形態は、ワイヤレス局（ＳＴＡ）であって、トランシーバデバイスと、１つまたは複数のプロセッサとを備え、１つまたは複数のプロセッサが、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための、第１の開始ＳＴＡへのトランシーバデバイスを通した少なくとも１つのＦＴＭメッセージの送信を開始することとを行うように構成された、ワイヤレスＳＴＡを対象とする。
【００１５】
[00014]別の特定の実装形態は、ワイヤレス局（ＳＴＡ）であって、トランシーバデバイスと、１つまたは複数のプロセッサとを備え、１つまたは複数のプロセッサが、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための、開始ＳＴＡへの少なくとも１つのＦＴＭメッセージを取得することとを行うように構成された、ワイヤレスＳＴＡを対象とする。
【００１６】
[00015]別の特定の実装形態は、応答ワイヤレス局（ＳＴＡ）における方法であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信することとを備える、方法を対象とする。
【００１７】
[00016]別の特定の実装形態は、開始ワイヤレス局（ＳＴＡ）における方法であって、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための、開始ＳＴＡへの少なくとも１つのＦＴＭメッセージを受信することとを備える、方法を対象とする。
【００１８】
[00017]別の特定の実装形態は、ワイヤレス局（ＳＴＡ）であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートするための手段と、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信するための手段とを備える、ワイヤレスＳＴＡを対象とする。
【００１９】
[00018]別の特定の実装形態は、ワイヤレス局（ＳＴＡ）であって、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートするための手段と、第１のセッションの完了より前に、セッションの残りの部分について、ネゴシエートされたパラメータのうちの１つまたはを改変するための、開始ＳＴＡへの少なくとも１つのＦＴＭメッセージを受信するための手段とを備える、ワイヤレスＳＴＡを対象とする。
【００２０】
[00019]上述の実装形態は例示的な実装形態にすぎず、請求される主題は、必ずしもこれらの例示的な実装形態の特定の態様に限定されるとは限らないことを理解されたい。
【図面の簡単な説明】
【００２１】
[00020]請求される主題は、本明細書の結論部分において特に指摘され、明確に請求される。ただし、それの目的、特徴、および／または利点とともに、編成および／または動作方法の両方に関して、請求される主題は、以下の発明を実施するための形態を参照し、添付の図面とともに読むことによって最も良く理解され得る。
【図１】一実装形態による、モバイルデバイスを含んでいるシステムのいくつかの特徴を示すシステム図。
【図２】特定の実施形態による、メッセージフロー図。
【図３】特定の実施形態による、メッセージフロー図。
【図４】特定の実施形態による、メッセージフロー図。
【図５Ａ】一実施形態による、ファインタイミング測定（ＦＴＭ）メッセージの１つまたは複数のバーストの送信のためのパラメータを改変するためのプロセスのフローチャート。
【図５Ｂ】一実施形態による、ファインタイミング測定（ＦＴＭ）メッセージの１つまたは複数のバーストの送信のためのパラメータを改変するためのプロセスのフローチャート。
【図６Ａ】拡張持続時間を有するＦＴＭメッセージのバーストを与えるためのセッションを確立するを与えるためのプロセスのフローチャート。
【図６Ｂ】拡張持続時間を有するＦＴＭメッセージのバーストを与えるためのセッションを確立するを与えるためのプロセスのフローチャート。
【図７】一実施形態による、応答ワイヤレストランシーバデバイスから送信されるファインタイミング測定（ＦＴＭ）メッセージのフィールドを示す図。
【図８】一実施形態による、バースト持続時間を指定するための符号化を要約する表。
【図９】一実装形態による、例示的なデバイスを示す概略ブロック図。
【図１０】一実装形態による、例示的なコンピューティングシステムの概略ブロック図。
【００２２】
[00029]以下の発明を実施するための形態において、本出願の一部を形成する添付の図面への参照が行われ、ここにおいて、同様の数字は、全体を通して、対応および／または類似する同様の部分を示し得る。図は、説明の簡単および／または明快のためになど、必ずしも一定の縮尺で描かれているとは限らないことが諒解されよう。たとえば、いくつかの態様の寸法は他の寸法に対して誇張され得る。さらに、他の実施形態が利用され得ることを理解されたい。さらに、構造のおよび／または他の変更が、請求される主題から逸脱することなく行われ得る。「請求される主題」への本明細書全体にわたる参照は、１つまたは複数の請求項、またはそれの任意の部分によってカバーされることが意図される主題を参照し、必ずしも、完全な特許請求の範囲、特許請求の範囲の特定の組合せ（たとえば、方法クレーム、装置クレームなど）、または特定の請求項を参照することを意図するとは限らない。また、たとえば、上、下、上部、下部など、方向および／または参照は、図面の説明を容易にするために使用され得、請求される主題の適用を制限するものではないことに留意されたい。したがって、以下の発明を実施するための形態は、請求される主題および／または均等物を限定すると見なされるべきではない。
【発明を実施するための形態】
【００２３】
[00030]本明細書全体にわたる一実装形態、実装形態、一実施形態、実施形態などへの言及は、特定の実装形態および／または実施形態に関して説明された特定の特徴、構造、特性などが、請求される主題の少なくとも１つの実装形態および／または実施形態に含まれることを意味する。したがって、たとえば、本明細書全体にわたる様々な箇所でのそのような句の出現は、必ずしも同じ実装形態および／または実施形態あるいは特定の一実装形態および／または実施形態を指すことを意図されるとは限らない。さらに、説明される特定の特徴、構造、特性などは、１つまたは複数の実装形態および／または実施形態では、様々な方法で組み合わせられることが可能であり、したがって、意図された特許請求の範囲内にあることを理解されたい。概して、もちろん、特許出願の明細書について常にそうであるように、これらおよび他の問題は、使用の特定のコンテキストにおいて異なる可能性を有する。言い換えれば、特許出願全体にわたって、説明および／または使用の特定のコンテキストは、引き出されるべき妥当な推論に関する有用なガイダンスを与えるが、同様に、さらなる限定なしの一般の「このコンテキストでは」は本特許出願のコンテキストを指す。
【００２４】
[00031]以下で説明されるように、特定のメッセージフローは、ワイヤレス局（ＳＴＡ）間のメッセージの送信に関して範囲の効果的および効率的な測定を可能にし得る。特定の例では、ＳＴＡは、たとえば、ほんの数例を挙げると、モバイルユーザ局（たとえば、スマートフォン、ノートブックコンピュータ、タブレットコンピュータなど）またはワイヤレスサービスアクセスデバイス（たとえば、ワイヤレスローカルエリアネットワーク（ＷＬＡＮ）アクセスポイント、パーソナルエリアネットワーク（ＰＡＮ）またはフェムトセルなど、いくつかのタイプのトランシーバデバイスのうちのいずれか１つを備え得る。特定のメッセージフローとメッセージフレーム中のフィールドは、たとえば、より少ないメッセージを使用してワイヤレスＳＴＡ間の範囲を測定するのに十分な精度でラウンドトリップ時間（ＲＴＴ）または飛行時間（ＴＯＦ）測定値を取得することを可能にし得る。そのような測定された範囲は、たとえば、測位動作を含むいくつかの適用例のうちのいずれか１つにおいて使用され得る。
【００２５】
[00032]以下で説明されるように、第１のＳＴＡは、第１のＳＴＡがＲＴＴまたはＴＯＦ測定値を取得することを可能にするメッセージまたはフレームの交換のためのプロセスを開始するために、第２のＳＴＡにファインタイミング測定要求メッセージを送信し得る。特定の実装形態では、ファインタイミング測定要求メッセージは、第１のＳＴＡが測距測定値または範囲を示す他のパラメータを共有することが可能であるかどうかに関するインジケーションを含み得る。特定の実装形態では、ＲＴＴまたはＴＯＦ測定値の算出の後に、第１のＳＴＡは、第２のＳＴＡに、算出された範囲、ＴＯＦまたはＲＴＴ測定値あるいは範囲を示す他のパラメータを備える１つまたは複数のメッセージを送信し得る。これは例示的な実装形態にすぎないこと、および請求される主題はこの点について限定されないことを理解されたい。
【００２６】
[00033]ＲＴＴの測定のためのＳＴＡ間のメッセージの送信は、ほんの数例を挙げると、一般に、音声、ビデオ、ＨＴＴＰ、データなど、他の適用例をサポートする他のメッセージトラフィックに加えて行われる。したがって、高密度動作環境では、ＲＴＴの測定のためのＳＴＡ間のメッセージングは、ワイヤレスリンクリソースのための輻輳および競合を増加させ得る。以下で説明される特定の実装形態では、特定の測位技法は、ＲＴＴを測定するために使用される一般的な技法よりも少数のメッセージを使用して、ＳＴＡ間のメッセージの送信のためのＴＯＦを測定することによってサポートされ得る。一実施形態によれば、ＴＯＦは、シーケンス中で近接して送信されるメッセージの「バースト」中の個々のメッセージのために測定され得る。受信されたメッセージのバーストからの複数のＴＯＦ測定値を組み合わせることは、たとえば、測定誤差の低減を可能にし得る。
【００２７】
[00034]一実施形態によれば、第１のＳＴＡは、第２のステイに、セッションにおいてＲＴＴまたはＴＯＦ測定値を取得する際に使用するためのメッセージの１つまたは複数のバーストを送信し得る。一実装形態では、セッションは、メッセージの交換を通して第１のＳＴＡと第２のＳＴＡとの間でネゴシエートされるパラメータによって少なくとも部分的に定義され得る。セッションを定義するパラメータに少なくとも部分的に基づいて、第１のＳＴＡは、メッセージの１つまたは複数のバーストの送信のためのリソースを割り振るかまたはスケジュールし得る。残念ながら、第１のＳＴＡがそれのリソースに対する後続の需要（たとえば、第２のＳＴＡ以外のＳＴＡにメッセージのバーストを与えるというコミットメント）を有する場合、後続の需要に合わせるための好都合な方法がない。一実施形態によれば、および以下で説明されるように、第２のＳＴＡにメッセージの１つまたは複数のバーストを与えるための事前ネゴシエートされたセッションの開始に続いて、第１のＳＴＡは、セッションの残りの部分について、セッションを定義する少なくとも１つのパラメータを改変するための１つまたは複数のメッセージを送信し得る。これは、第１のＳＴＡが、第２のＳＴＡ以外のＳＴＡにメッセージのバーストを与えるための後続のおよびコンカレントなセッションに応答することを可能にし得る。
【００２８】
[00035]一実施形態によれば、図１に示されているように、モバイルデバイス１００ａまたは１００ｂは、ワイヤレス通信ネットワークに無線信号を送信し、ワイヤレス通信ネットワークから無線信号を受信し得る。一例では、モバイルデバイス１００は、ワイヤレス通信リンク１２５を介して、ローカルトランシーバ１１５にワイヤレス信号を送信し、またはローカルトランシーバ１１５からワイヤレス信号を受信することによって、通信ネットワークと通信し得る。
【００２９】
[00036]特定の実装形態では、ローカルトランシーバ１１５は屋内環境中に配置され得る。ローカルトランシーバ１１５は、ワイヤレスローカルエリアネットワーク（ＷＬＡＮ、たとえば、ＩＥＥＥ規格８０２．１１ネットワーク）またはワイヤレスパーソナルエリアネットワーク（ＷＰＡＮ、たとえば、Ｂｌｕｅｔｏｏｔｈ（登録商標）ネットワーク）へのアクセスを与え得る。別の例示的な実装形態では、ローカルトランシーバ１１５は、セルラー通信プロトコルに従うワイヤレス通信リンク１２５上での通信を容易にすることが可能なフェムトセルトランシーバを備え得る。もちろん、これらは、ワイヤレスリンクを介してモバイルデバイスと通信し得るネットワークの例にすぎず、請求される主題は、この点について限定されないことを理解されたい。
【００３０】
[00037]特定の実装形態では、ローカルトランシーバ１１５ａまたは１１５ｂは、リンク１４５を通してネットワーク１３０を介してサーバ１４０、１５０および／または１５５と通信し得る。ここで、ネットワーク１３０は、ワイヤードリンクまたはワイヤレスリンクの任意の組合せを備え得る。特定の実装形態では、ネットワーク１３０は、ローカルトランシーバ１１５を通してモバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、ワイヤードまたはワイヤレス通信ネットワークインフラストラクチャを備え得る。
【００３１】
[00038]特定の実装形態では、モバイルデバイス１００は、ローカル送信機（たとえば、既知のロケーションに位置するＷＬＡＮアクセスポイント）から収集された信号に少なくとも部分的に基づいて位置フィックスを算出することが可能であり得る。たとえば、モバイルデバイスは、既知のロケーションに位置する３つまたはそれ以上の屋内地上波ワイヤレスアクセスポイントまでの範囲を測定することによって位置フィックスを取得し得る。そのような範囲は、たとえば、そのようなアクセスポイントから受信された信号からＭＡＣ  ＩＤアドレスを取得することと、たとえば、受信信号強度（ＲＳＳＩ）またはＲＴＴなど、そのようなアクセスポイントから受信された信号の１つまたは複数の特性を測定することによってアクセスポイントまでの範囲測定値を取得することとによって測定され得る。代替実装形態では、モバイルデバイス１００は、予想される到来角（ＡｏＡ）を示す無線ヒートマップに収集された信号の特性を適用することによって屋内位置フィックスを取得し得る。他の代替実装形態では、上記で指摘されたように、モバイルデバイス１００は、予想されるＴＯＦを示す無線ヒートマップに収集された信号の特性を適用することによって屋内位置フィックスを取得し得る。したがって、無線ヒートマップは、屋内エリア中の特定のロケーションにおけるＴＯＦ、ＡｏＡ、ＳＩおよび／またはＲＴＴシグネチャを備え得る。特定の実装形態では、無線ヒートマップは、ローカル送信機の識別情報（たとえば、ローカル送信機から収集された信号から識別可能であるＭＡＣアドレス）と、識別されたローカル送信機によって送信された信号からの予想されるＲＳＳＩと、識別された送信機からの予想されるＲＴＴと、場合によってはこれらの予想されるＡｏＡ、ＴＯＦ、ＲＳＳＩまたはＲＴＴからの標準偏差とを関連付け得る。ただし、これらは無線ヒートマップに記憶され得る値の例にすぎず、請求される主題はこの点について限定されないことを理解されたい。
【００３２】
[00039]特定の実装形態では、モバイルデバイス１００またはローカルトランシーバ１１５は、サーバ１４０、１５０または１５５から屋内測位動作のための測位支援データを受信し得る。たとえば、そのような測位支援データは、たとえば、測定されたＲＳＳＩおよび／またはＲＴＴに少なくとも部分的に基づいて既知のロケーションに位置する送信機までの範囲を測定することを可能にするために、これらの送信機のロケーションと識別情報とを含み得る。屋内測位動作を助けるための他の測位支援データは、ほんの数例を挙げると、無線ヒートマップ、磁気ヒートマップ、送信機のロケーションおよび識別情報、ルーティング可能性グラフを含み得る。
【００３３】
[00040]特定の実装形態では、ワイヤレスＳＴＡ間の特定のメッセージフローは、上記で説明された測位動作における使用のために、ＳＴＡ間のメッセージの交換からＲＴＴの測定値を取得するために実装され得る。特定の実装形態では、以下で説明されるように、ＳＴＡは、モバイルデバイス（たとえば、モバイルデバイス１００）または固定トランシーバ（たとえば、ＩＥＥＥ規格８０２．１１アクセスポイント、固定Ｂｌｕｅｔｏｏｔｈデバイス、ローカルトランシーバ１１５など）を備え得る。したがって、ワイヤレスＳＴＡ間のメッセージの交換は、ほんの数例を挙げると、モバイルデバイスと固定トランシーバとの間の（たとえば、ワイヤレスリンク１２５を介したモバイルデバイス１００とローカルトランシーバ１１５との間の）、２つのピアモバイルデバイス間の（たとえば、ワイヤレスリンク１５９を介したモバイルデバイス１００ａとモバイルデバイス１００ｂとの間の）、または２つの固定トランシーバ間の（たとえば、ワイヤレスリンク１７９を介したローカルトランシーバ１１５ａとローカルトランシーバ１１５ｂとの間の）メッセージの交換を備え得る。特定の実装形態では、本明細書で説明される様々な技法は、ＩＥＥＥ  Ｐ８０２．１１−ＲＥＶｍｃTM／Ｄ５．０  Ｄｒａｆｔ  Ｓｔａｎｄａｒｄ  ８０２．１１  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ，  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）、２０１６年１月（以下「ＩＥＥＥ規格８０２．１１」）の、必ずしもすべてとは限らないが、いくつかの態様または特徴を組み込み得る。実際、本明細書で説明されるいくつかの特徴がＩＥＥＥ規格８０２．１１では図示、説明または教示されていないことを理解されたい。
【００３４】
[00041]図２は、一実施形態による、「応答」ＳＴＡと「開始」ＳＴＡとを含むワイヤレス局ＳＴＡ間のメッセージフローを示す図である。このコンテキストでは、応答ＳＴＡまたは開始ＳＴＡは、モバイルデバイス（たとえば、モバイルデバイス１００）または固定アクセストランシーバデバイス（たとえば、ローカルトランシーバ１１５）を含むいくつかのトランシーバデバイスのうちのいずれか１つを備え得る。ただし、これらは開始ＳＴＡまたは応答ＳＴＡの例にすぎず、請求される主題はこの点について限定されないことを理解されたい。開始ＳＴＡは、開始ＳＴＡと応答ＳＴＡとの間で送信されるメッセージまたはフレームのタイミングに少なくとも部分的に基づいて、ＲＴＴの１つまたは複数の測定値を取得または算出し得る。本明細書で使用される「メッセージ」および「フレーム」という用語は、互換的に使用される。開始ＳＴＡは、応答ＳＴＡにファインタイミング測定要求メッセージまたはフレーム（「要求」）２０２を送信し、応答して送信されたファインタイミング要求メッセージ肯定応答メッセージまたはフレーム（「Ａｃｋ」）２０４を受信し得る。特定の実装形態では、請求される主題をこの点において限定することなしに、そのようなファインタイミング測定要求メッセージ２０２のコンテンツは、ＩＥＥＥ規格８０２．１１に示されているようなものであり得る。特定の実装形態では、そのようなＡｃｋフレーム２０４は、単に、前に送信されたメッセージの受信のインジケーションを与え得る。開始ＳＴＡは、次いで、応答ＳＴＡから受信された（およびファインタイミング測定要求メッセージの受信に応答して送信された）ファインタイミング測定メッセージまたはフレーム（「Ｍ」）２０６中で与えられたタイムスタンプ値（ｔ１、ｔ４）に少なくとも部分的に基づいて、ＲＴＴ測定値を取得または算出し得る。特定の実装形態では、メッセージフロー図に示されているように、交互ファインタイミング測定メッセージ２０６と、それに続くファインタイミング測定肯定応答メッセージ２０８との複数の交換のシーケンスが、追加のタイムスタンプ値（ｔ１、ｔ２、ｔ３およびｔ４）を作成し得る。
【００３５】
[00042]一実施形態によれば、開始ＳＴＡによって送信されたファインタイミング測定（ＦＴＭ）要求メッセージは、開始ＳＴＡに、開始ＳＴＡがＲＴＴ測定値を算出することを可能にするファインタイミング測定を与えるための、応答ＳＴＡとのメッセージの所望の交換を特徴づけるフィールド、パラメータなどを含み得る。ＦＴＭ要求メッセージの受信に応答して、応答ＳＴＡは、開始ＳＴＡがＲＴＴ、または範囲を示す他のパラメータを算出することを可能にする測定値またはパラメータを含む１つまたは複数のＦＴＭメッセージを開始ＳＴＡに送信し得る。
【００３６】
[00043]特定の実装形態では、請求される主題をこの点において限定することなしに、そのようなファインタイミング測定メッセージまたはフレームのコンテンツは、ＩＥＥＥ規格８０２．１１に示されているようなものであり得る。例示的な一実装形態では、開始ＳＴＡは、ＲＴＴ測定値を（ｔ４−ｔ１）−（ｔ３−ｔ２）として算出し得、ここで、ｔ２およびｔ３は、それぞれ、前のファインタイミング測定メッセージまたはフレームの受信の時間および先行する肯定応答メッセージまたはフレームの送信の時間である。開始ＳＴＡは、受信ＳＴＡと応答ＳＴＡとの間の範囲を算出する際の不偏測定雑音の除去のために組み合わせられ得る対応する数のＲＴＴ測定値を取得するために、バースト中で一連のファインタイミング測定要求メッセージを送信し得る。
【００３７】
[00044]ＦＴＭ要求メッセージおよびＦＴＭメッセージは、他のサービスのための（たとえば、インターネットプロトコルメッセージングのための）フレームまたはメッセージに加えてＳＴＡによって送信され得る。空港ターミナルまたはスタジアムイベントなど、高密度ワイヤレストラフィックシナリオでは、ＲＴＴの算出のためのＦＴＭ要求メッセージおよびＦＴＭメッセージの送信は、応答ＳＴＡにおける利用可能なメッセージング容量にストレスを加え得る。本明細書で説明される特定の実装形態は、ＳＴＡによるより少数のメッセージの送信を使用してＳＴＡ間の範囲の算出のための測定値を取得するためのメッセージの交換を対象とし得る。
【００３８】
[00045]一実施形態によれば、送信デバイスからワイヤレス送信され、受信デバイスにおいて収集されたメッセージのＴＯＦは、送信されたメッセージが、送信時間を示すタイムスタンプ値を含む場合、測定され得る。特定の実装形態では、送信されたメッセージは、受信デバイスにおいて検出可能である符号化シンボルを含んでいるフィールド（たとえば、プリアンブル、ヘッダおよびペイロード）を備え得る。送信されたメッセージを収集し、到着時間を決定するために、受信デバイスは、メッセージによって送信されているシンボルのシーケンス中の特定の１つまたは複数のシンボルを検出または復号し得る。特定のシンボルが、同じく送信されたメッセージ中に含まれるタイムスタンプ値を基準とする場合、受信デバイスは、タイムスタンプ値と特定のシンボルが復号または検出された場合との間の相違するに基づいてＴＯＦ＝ＲＴＴ／２を測定し得る。
【００３９】
[00046]一実施形態によれば、開始ＳＴＡは、複数の応答ＳＴＡとの範囲の測定値を取得することを試み得る。複数の応答ＳＴＡの既知のロケーションを使用すること。開始ＳＴＡは、次いで、それのロケーションの推定値を取得し得る。一実施形態によれば、開始ＳＴＡと応答ＳＴＡとは、メッセージの交換を通して、開始ＳＴＡにＦＴＭメッセージを与えるためのセッションをネゴシエートし得る。図３のメッセージフローに示されているように、開始ＳＴＡは、特に、応答ＳＴＡから開始ＳＴＡに送信されるべきＦＴＭメッセージの態様を提案するためのパラメータを含んでいるフィールドを備える、初期ＦＴＭ要求メッセージ３０２を送信し得る。たとえば、初期ＦＴＭ要求メッセージ３０２は、ほんの数例を挙げると、送信されるべきＦＴＭメッセージのバーストの数、バースト期間、バースト当たりのフレーム、バースト中のＦＴＭメッセージの送信間の最小時間、バースト期間またはバースト持続時間を指定し得る。初期ＦＴＭメッセージ３０４を送信する際に、応答ＳＴＡは、初期ＦＴＭ要求メッセージ３０２中で提案されたパラメータに従ってＦＴＭメッセージを与えることにコミットするか、またはＦＴＭメッセージがどのように送信されるべきかを特徴づける異なるパラメータを提案し得る。一実施形態によれば、ＦＴＭメッセージのバーストの始めに、開始ＳＴＡは、たとえば、開始ＳＴＡが、バースト中に後続すべきであるＦＴＭメッセージを受け付ける準備ができていることを応答ＳＴＡに通知するために、ＩＥＥＥ規格８０２．１１仕様に記載されているトリガパラメータを備えるＦＴＭ要求メッセージ３０６を送信し得る。
【００４０】
[00047]特定のシナリオでは、応答ＳＴＡは、マルチバーストＦＴＭセッションを（たとえば、初期ＦＴＭ要求メッセージを通して）要求する複数の開始ＳＴＡとのコンカレントまたは重複ＦＴＭセッションを確立し得る。応答ＳＴＡが、ＦＴＭメッセージを与えるためのセッションについて開始ＳＴＡとスケジュールをネゴシエートすると、応答ＳＴＡは、ＦＴＭセッションが終了されるまで、開始ＳＴＡにＦＴＭメッセージを周期的に送り得る。さらに、ＦＴＭメッセージを与えるためのセッションについての開始ＳＴＡと応答ＳＴＡとの間のネゴシエーションが完了すると、応答ＳＴＡは、それのスケジュールを、他の開始ＳＴＡからの後続の着信ＦＴＭセッション要求に適応するように動的に適合させる能力を有しないことがある。より多くの開始ＳＴＡを応答ＳＴＡのスケジュールに適応させるために、応答ＳＴＡは、１つまたは複数の他の開始ＳＴＡにすでに割り振られたＦＴＭメッセージバーストを再利用する／重複させるためのオプションを有し得る。ここで、いくつかの開始ＳＴＡが伝送媒体を求めて競合し、バーストの始めにトリガパラメータをもつＦＴＭ要求トリガメッセージ（たとえば、ＦＴＭメッセージ３０６）を送ること、またはＦＴＭメッセージを受信することを待ち得る。スタジアムのようなシナリオでは、いくつかの開始ＳＴＡが、１つの応答ＳＴＡとの重複バーストインスタンスを有し得る。バーストインスタンスは限られた持続時間のものであるので、応答ＳＴＡが、複数の要求元開始ＳＴＡに重複バーストインスタンスを割り振ることにコミットした場合、多くの開始ＳＴＡがＦＴＭメッセージを切望し得る。この状況では、応答ＳＴＡは、開始ＳＴＡにＦＴＭメッセージを送信するというそれのコミットメントを再スケジュールまたは修正することができないことがある。１つのソリューションは、開始ＳＴＡからＦＴＭメッセージを奪うことにつながり得る、媒体競合ウィンドウを作成することを伴い得る。開始ＳＴＡは、複数の応答ＳＴＡとの複数の進行中のＦＴＭセッションを有し得るが、応答ＳＴＡも、多数の開始ＳＴＡとの重複ＦＴＭセッションを確立していることがある。
【００４１】
[00048]図４は、応答ＳＴＡが、開始ＳＴＡにＦＴＭメッセージを与えるためのネゴシエートされたセッションの態様または特性を変更し得る、メッセージフローの図である。上記で説明されたように、開始ＳＴＡと応答ＳＴＡとは、たとえば、バーストの数、バースト当たりのフレーム、バースト中のＦＴＭメッセージの送信間の最小時間、バースト期間またはバースト持続時間などのパラメータをネゴシエートすることによって、初期ＦＴＭ要求メッセージ４０２とそれに続く初期ＦＴＭメッセージ４０４との送信に基づいてセッションを確立し得る。さらに、しかしながら、（バーストの始めのＦＴＭ要求トリガメッセージ４０６などの）ＦＴＭ要求トリガメッセージの受信に応答して、応答ＳＴＡは、開始ＳＴＡにＦＴＭメッセージを与えるためのセッションの残りの部分のパラメータを改変するためのＦＴＭメッセージ４０８を送信し得る。たとえば、ＦＴＭメッセージ４０８は、初期ＦＴＭ要求メッセージ４０２およびＦＴＭメッセージ４０４の以前の交換において最初にネゴシエートされたパラメータ、バーストの数、バースト当たりのフレーム、バースト中のＦＴＭメッセージの送信間の最小時間（たとえば、最小デルタＦＴＭ４１４）、バースト期間（たとえば、バースト期間４１０）またはバースト持続時間（たとえば、バースト持続時間４１２）への更新または変更を指定し得る。図５は、更新または変更されたパラメータが指定され得る、特定の実施形態におけるＦＴＭメッセージ４０８のフィールドを示す。ここで、ＦＴＭメッセージ４０８は、フィールド「最小デルタＦＴＭ」中でＦＴＭメッセージ間の更新または変更された最小時間を表し、フィールド「バースト当たりＦＴＭ」中でバースト当たりのフレームの更新または変更された数を表し、フィールド「バースト期間」中で更新または変更されたバースト期間を表し、フィールド「バースト数指数」中でバーストの更新または変更された数を表し、フィールド「バースト持続時間」中で更新または変更されたバースト持続時間を表し得る。応答ＳＴＡは、次いで、ＦＴＭメッセージ４０８中で指定された、更新または変更されたパラメータに従って、セッションの残りの部分において開始ＳＴＡにＦＴＭメッセージを送信し続け得る。
【００４２】
[00049]開始ＳＴＡにＦＴＭメッセージを与えるためのセッションの残りの部分を定義するパラメータを変更または更新するＦＴＭメッセージ４０８に応答して、開始ＳＴＡは、セッションの残りの部分においてＦＴＭメッセージを受信し続けること、または（たとえば、セッションを終了するメッセージを送信することによって）セッションを終了することを選定し得る。セッションを終了することは、開始ＳＴＡが、測位動作のためのＦＴＭメッセージを与えるための、他の潜在的応答ＳＴＡとのセッションを開始することを可能にし得る。開始ＳＴＡがセッションの残りの部分を続ける場合、ＦＴＭメッセージ４０８中で指定されたパラメータ、開始ＳＴＡは、特に、セッションの残りの部分においてトリガＦＴＭメッセージ４０６を適宜に送信するために、それ自体を更新または変更されたパラメータに再構成し得る。
【００４３】
[00050]図５Ａおよび図５Ｂは、一実施形態による、ＦＴＭメッセージの１つまたは複数のバーストの送信のためのパラメータを改変するためのプロセスのフローチャートである。一実装形態では、図５Ａのアクションは応答ＳＴＡによって実行され得、図５Ｂのアクションは開始ＳＴＡによって実行され得る。上記で指摘されたように、応答ＳＴＡがＦＴＭメッセージのバーストを与えるためのセッションを定義するパラメータは、ＦＴＭメッセージの１つまたは複数のバーストを与えるためのセッションのパラメータを指定する初期ＦＴＭ要求メッセージの送信（たとえば、開始ＳＴＡからの初期ＦＴＭ要求メッセージ４０２の送信）によってネゴシエートされ得る。そのようなパラメータは、たとえば、バーストの数、バースト当たりのフレーム、バースト中のＦＴＭメッセージの送信間の最小時間、バースト期間またはバースト持続時間を含み得る。セッションのネゴシエーションは、初期ＦＴＭメッセージ中で指定されたパラメータと同じパラメータを確認するか、またはそれとは異なるパラメータを指定する、ＦＴＭメッセージ（たとえば、ＦＴＭメッセージ４０４）の送信で完了され得る。たとえば、ブロック５０２および５０６における開始ＳＴＡまたは応答ＳＴＡは、セッションにおいてＦＴＭメッセージの１つまたは複数のバーストの送信のためのパラメータをネゴシエートし得る。このコンテキストでは、ＦＴＭメッセージの１つまたは複数のバーストの送信のための「セッション」は、応答ＳＴＡがＦＴＭ要求メッセージに応答して開始ＳＴＡにＦＴＭメッセージのバーストを送信すべきである持続時間を備える。
【００４４】
[00051]上記で指摘されたように、ブロック５０２および５０６においてネゴシエートされたＦＴＭメッセージのバーストを与えるためのセッションなど、ＦＴＭメッセージのバーストを与えるためのセッションのパラメータは、その後、変化する状態に応答して改変され得る。たとえば、ブロック５０４における応答ＳＴＡは、ブロック５０２および５０６においてネゴシエートされたセッションの残りの部分のために実装されるべき改変されたパラメータを指定する、ＦＴＭメッセージ４０８など、ＦＴＭメッセージを送信する。このＦＴＭメッセージは、ブロック５０８において開始ＳＴＡによって受信され得る。ここで、ＦＴＭメッセージの１つまたは複数のバーストを与えるためのセッションの「残りの部分」は、セッションを定義する事前ネゴシエートされたパラメータを改変するイベントに続く持続時間セッションの一部分を備え得る。
【００４５】
[00052]バースト中でＦＴＭメッセージを交換するためのセッションの特定の実装形態では、バースト中のＦＴＭメッセージの数またはセッションの持続時間は制限され得る。示されているように、ＩＥＥＥ規格８０１．１１の特定の実装形態におけるセッションの最大持続時間は３．７５秒に制限され得る。そのようなセッションのための最大持続時間の満了に続いてより長い期間にわたって追加のＦＴＭメッセージを交換するために、開始ＳＴＡは、（たとえば、別の初期ＦＴＭ要求メッセージ３０２または４０２を送信することによって）新しいセッションを開始し得る。以下で説明される特定の実装形態は、ＦＴＭメッセージの交換のための、より拡張されたまたは場合によっては無期限に長いセッションを可能にするための特徴を対象とする。
【００４６】
[00053]図６Ａおよび図６Ｂは、拡張持続時間を有するＦＴＭメッセージのバーストを与えるためのセッションを確立するためのプロセスのフローチャートである。ブロック６０２および６０４におけるアクションは開始ＳＴＡによって実行され得、ブロック６０６および６０８は応答ＳＴＡによって実行され得る。ブロック６０２は、開始ＳＴＡへのＦＴＭメッセージの送信のための要求されたセッションそれを指定するための、開始ＳＴＡからの初期ＦＴＭ要求メッセージの送信を備え得る。ブロック６０６において初期ＦＴＭ要求メッセージを受信して、応答ＳＴＡは、拡張持続時間を指定するＦＴＭ要求メッセージ中のパラメータに少なくとも部分的に基づいて、要求されたセッションにおいて１つまたは複数のＦＴＭメッセージを送信し得る。ブロック６０８において送信されたＦＴＭメッセージは、たとえば、ブロック６０４において開始ＳＴＡによって受信され得る。ブロック６０８において送信されたＦＴＭメッセージは、たとえば、ＦＴＭ要求メッセージ中で指定されたパラメータに従うＦＴＭメッセージのバーストを含み得る。
【００４７】
[00054]このコンテキストでは、本明細書で言及される「拡張持続時間」は、開始ＳＴＡと応答ＳＴＡとを分離する範囲の連続監視を可能にするためになど、ある時間期間にわたってその範囲に関係する複数の測定値を取得することを可能にする持続時間を意味する。１つの特定の例では、拡張持続時間は、４．０秒よりも大きい（たとえば、上記で示された３．７５秒の最大持続時間よりも大きい）持続時間を備え得る。特定の一実装形態では、ブロック６０６における拡張持続時間を指定する１つまたは複数のフィールドは、無期限持続時間を示す１つまたは複数のフィールドを備え得る。以下で説明される特定の一実装形態では、拡張持続時間を指定する１つまたは複数のフィールドは、セッションの持続時間が無期限であることを指定し得る。別の特定の実装形態では、拡張持続時間を指定する１つまたは複数のフィールドは、２よりも大きい底に対する指数を使用して、極めて長い持続時間を指定し得る。ただし、これらは、ＦＴＭメッセージを送信するためのセッションの拡張持続時間を指定し得るフィールドのタイプの例にすぎず、請求される主題はこの点について限定されないことを理解されたい。
【００４８】
[00055]図７に示されているフィールドは、初期ＦＴＭ要求メッセージまたはＦＴＭメッセージのＦＴＭパラメータ中に含まれ得る。一実装形態では、ＦＴＭ要求メッセージの予約済みビット７において予約済みビットを１の値に設定することは、応答ＳＴＡからのＦＴＭバーストの送信のための無限または無期限持続時間を指定し得る。応答ＳＴＡからの初期ＦＴＭメッセージ（たとえば、ＦＴＭ＿１）中の予約済みビット７における１の同様の値は、応答ＳＴＡが、初期ＦＴＭ要求メッセージ中で指定された無期限持続時間を受け付けることを指定し得る。代替的に、初期ＦＴＭメッセージ中の予約済みビット７における０の値は、応答ＳＴＡが、初期ＦＴＭ要求メッセージ中で指定された無期限持続時間を受け付けないことを示し、バースト当たりの有限数のＦＴＭメッセージおよび／または有限バースト持続時間を生じ得る。
【００４９】
[00056]別の実装形態では、「１」の値をＦＴＭＲメッセージの予約済みビット７に入れることは、４ビットから５ビットへのフィールド「バースト数指数」の拡張を指定し得る。応答ＳＴＡが、拡張持続時間のためのそのような要求を満たすことが可能である場合、初期ＦＴＭＲメッセージに応答して与えられる初期ＦＴＭメッセージは、予約済みビット７における「１」の値を与え得る。これは、たとえば、バースト期間が１００ｍｓに設定された場合、セッションが、６．８年の最大持続時間にわたって２１４７４８３６４８個のバーストを与えることを可能にし得る。
【００５０】
[00057]ＩＥＥＥ規格８０１．１１の現行バージョンでは、図７のフィールド「バースト数指数」中で表される指数値のための指数底は２であり得る。セッションにおけるバーストの最大数を拡張するための別の例示的な実装形態では、フィールド「バースト数指数」中で表される指数値のための指数底は、２を超える値に増加され得る。たとえば、４の底指数は、セッションの最大持続時間を３．４年に拡張することを可能にし得、８の底指数は、セッションの最大持続時間を１１０，０００年に拡張することを可能にし得、１０の底指数は、最大持続時間を３．２百万年に拡張することを可能にし得る。
【００５１】
[00058]図８の表は、図５に示されているビットＢ１２〜Ｂ１５におけるフィールド「バースト持続時間」中でバースト持続時間を指定するために使用され得る特定の値を示す。０、１、１２、１３、および１４の符号化された値は予約済みであり得る。代替実装形態では、開始ＳＴＡは、初期ＦＴＭ要求メッセージ中のフィールド「バースト持続時間」中で０、１、１２、１３、または１４の値を指定することによって、無期限に拡張されるべき、ＦＴＭバーストを送信するためのセッションのための持続時間を指定し得る。応答ＳＴＡは、初期ＦＴＭ要求メッセージに応答して送信された初期ＦＴＭメッセージ中のフィールド「バースト持続時間」中で１４の値（または合意された予約済み値のいずれか）を与えることによって、この要求を満たすことを肯定応答し得る。さらに、１５の値は、無限バーストインスタンスを意味するように再定義され得、１４の値は、開始ＳＴＡによる選好なしを示す。応答ＳＴＡが無限バーストインスタンスに同意した場合、応答ＳＴＡは、開始ＳＴＡに１５の値を送るであろう。
【００５２】
[00059]図９および図１０に示されている主題は、一実施形態における、たとえば、コンピューティングデバイスの特徴を備え得る。さらに、コンピューティングデバイスという用語は、一般に、少なくとも、通信バスによって接続された１つまたは複数のプロセッサとメモリとを指すことに留意されたい。同様に、少なくとも本開示のコンテキストでは、これは、米国特許法第１１２条（ｆ）の趣旨内の十分な構造を指すと理解され、したがって、「コンピューティングデバイス」、「ワイヤレス局」、「ワイヤレストランシーバデバイス」という用語および／または同様の用語の使用によって米国特許法第１１２条（ｆ）が暗示されないことが明確に意図されるが、直ちに明らかではない何らかの理由で、上記の理解が有効であり得ず、したがって、「コンピューティングデバイス」、「ワイヤレス局」、「ワイヤレストランシーバデバイス」という用語および／または同様の用語の使用によって米国特許法第１１２条（ｆ）が必然的に暗示されると決定された場合、その法定セクションに従って、１つまたは複数の機能を実行するための対応する構造、材料および／または行為は、少なくとも、図５Ａ、図５Ｂ、図６Ａおよび図６Ｂ、および本開示の対応する本文において説明されると理解され、解釈されるものとする。
【００５３】
[00060]図９は、一実施形態による、モバイルデバイスの概略図である。モバイルデバイス１００（図１）は、図９に示されているモバイルデバイス１１００の１つまたは複数の特徴を備え得る。いくつかの実施形態では、モバイルデバイス１１００はまた、ワイヤレス通信ネットワーク上でワイヤレスアンテナ１１２２を介してワイヤレス信号１１２３を送信および受信することが可能であるワイヤレストランシーバ１１２１を備え得る。ワイヤレストランシーバ１１２１はワイヤレストランシーババスインターフェース１１２０によってバス１１０１に接続され得る。ワイヤレストランシーババスインターフェース１１２０は、いくつかの実施形態では、ワイヤレストランシーバ１１２１と少なくとも部分的に統合され得る。いくつかの実施形態は、たとえば、ほんの数例を挙げると、ＩＥＥＥ規格８０２．１１のバージョン、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）およびＢｌｕｅｔｏｏｔｈなど、対応する複数のワイヤレス通信規格に従って、信号を送信および／または受信することを可能にするために、複数のワイヤレストランシーバ１１２１とワイヤレスアンテナ１１２２とを含み得る。
【００５４】
[00061]モバイルデバイス１１００はまた、ＳＰＳアンテナ１１５８を介してＳＰＳ信号１１５９を受信および収集することが可能なＳＰＳ受信機１１５５を備え得る。ＳＰＳ受信機１１５５はまた、モバイルデバイス１０００のロケーションを推定するために、収集されたＳＰＳ信号１１５９を全体的にまたは部分的に処理し得る。いくつかの実施形態では、（１つまたは複数の）汎用プロセッサ１１１１、メモリ１１４０、（１つまたは複数の）ＤＳＰ１１１２および／または専用プロセッサ（図示せず）も、ＳＰＳ受信機１１５５とともに、収集されたＳＰＳ信号を全体的にまたは部分的に処理し、および／またはモバイルデバイス１１００の推定ロケーションを計算するために利用され得る。測位動作を実行する際の使用のためのＳＰＳまたは他の信号の記憶は、メモリ１１４０またはレジスタ（図示せず）中で実行され得る。
【００５５】
[00062]また、図９に示されている、モバイルデバイス１１００は、バスインターフェース１１１０によってバス１１０１に接続された（１つまたは複数の）デジタル信号プロセッサ（（１つまたは複数の）ＤＳＰ）１１１２と、バスインターフェース１１１０によってバス１１０１に接続された（１つまたは複数の）汎用プロセッサ１１１１と、メモリ１１４０とを備え得る。バスインターフェース１１１０は、（１つまたは複数の）ＤＳＰ１１１２、（１つまたは複数の）汎用プロセッサ１１１１およびメモリ１１４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ１１４０に記憶された１つまたは複数の機械可読命令の実行応答して、機能が実行され得る。１つまたは複数の命令は、（１つまたは複数の）汎用プロセッサ１１１１、専用プロセッサ、または（１つまたは複数の）ＤＳＰ１１１２によって実行可能であり得る。メモリ１１４０は、本明細書で説明される機能を実行するために（１つまたは複数の）プロセッサ１１１１および／または（１つまたは複数の）ＤＳＰ１１１２によって実行可能であるソフトウェアコード（プログラミングコード、命令など）を記憶する非一時的プロセッサ可読メモリおよび／またはコンピュータ可読メモリを備え得る。特定の実装形態では、ワイヤレストランシーバ１１２１は、上記で説明されたように、モバイルデバイス１１００がワイヤレスＳＴＡとして構成されることを可能にするために、バス１１０１を通して（１つまたは複数の）汎用プロセッサ１１１１および／または（１つまたは複数の）ＤＳＰ１１１２と通信し得る。（１つまたは複数の）汎用プロセッサ１１１１および／または（１つまたは複数の）ＤＳＰ１１１２は、図２〜図４、図５Ａ、図５Ｂ、図６Ａおよび図６Ｂに関して上記で説明されたプロセスの１つまたは複数の態様を実行するための命令を実行し得る。
【００５６】
[00063]また、図９に示されている、ユーザインターフェース１１３５は、たとえば、ほんの数例を挙げると、スピーカー、マイクロフォン、ディスプレイデバイス、振動デバイス、キーボード、タッチスクリーンなど、いくつかのデバイスのうちのいずれか１つを備え得る。特定の実装形態では、ユーザインターフェース１１３５は、ユーザがモバイルデバイス１１００上にホストされた１つまたは複数のアプリケーションと対話することを可能にし得る。たとえば、ユーザインターフェース１１３５のデバイスは、ユーザからのアクションに応答して（１つまたは複数の）ＤＳＰ１１１２または汎用／アプリケーションプロセッサ１１１１によってさらに処理されるべきアナログ信号またはデジタル信号をメモリ１１４０に記憶し得る。同様に、モバイルデバイス１１００上にホストされたアプリケーションは、出力信号をユーザに提示するためにアナログまたはデジタル信号をメモリ１１４０に記憶し得る。別の実装形態では、モバイルデバイス１１００は、たとえば、専用スピーカー、マイクロフォン、デジタルアナログ回路、アナログデジタル回路、増幅器、および／または利得制御を備える専用オーディオ入出力（Ｉ／Ｏ）デバイス１１７０を随意に含み得る。ただし、これは、オーディオＩ／Ｏがモバイルデバイスにおいてどのように実装され得るかの一例にすぎず、請求される主題はこの点について限定されないことを理解されたい。別の実装形態では、モバイルデバイス１１００は、キーボードまたはタッチスクリーンデバイスにタッチすること、またはそれに対する圧力に応答するタッチセンサー１１６２を備え得る。
【００５７】
[00064]モバイルデバイス１１００はまた、静止画または動画をキャプチャするための専用カメラデバイス１１６４を備え得る。専用カメラデバイス１１６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ１１１１または（１つまたは複数の）ＤＳＰ１１１２において実行され得る。代替的に、専用ビデオプロセッサ１１６８が、キャプチャされた画像を表す信号の調整、符号化、圧縮または操作を実行し得る。さらに、専用ビデオプロセッサ１１６８は、モバイルデバイス１１００上のディスプレイデバイス（図示せず）上での提示のために記憶された画像データを復号／復元し得る。
【００５８】
[00065]モバイルデバイス１１００は、たとえば、慣性センサーおよび環境センサーを含み得る、バス１１０１に結合されたセンサー１１６０をも備え得る。センサー１１６０の慣性センサーは、たとえば、（たとえば、３次元におけるモバイルデバイス１１００の加速度にまとめて応答する）加速度計、（たとえば、１つまたは複数のコンパスアプリケーションをサポートするための）１つまたは複数のジャイロスコープまたは１つまたは複数の磁力計を備え得る。モバイルデバイス１１００の環境センサーは、たとえば、ほんの数例を挙げると、温度センサー、気圧センサー、周辺光センサー、カメライメージャ、マイクロフォンを備え得る。センサー１１６０は、メモリ１１４０に記憶され、たとえば、測位またはナビゲーション動作を対象とするアプリケーションなど、１つまたは複数のアプリケーションをサポートする（１つまたは複数の）ＤＰＳまたは汎用／アプリケーションプロセッサ１１１１によって処理され得る、アナログ信号またはデジタル信号を生成し得る。
【００５９】
[00066]特定の実装形態では、モバイルデバイス１１００は、ワイヤレストランシーバ１１２１またはＳＰＳ受信機１１５５において受信され、ダウンコンバートされた信号のベースバンド処理を実行することが可能な専用モデムプロセッサ１１６６を備え得る。同様に、専用モデムプロセッサ１１６６は、ワイヤレストランシーバ１１２１による送信のためにアップコンバートされるべき信号のベースバンド処理を実行し得る。代替実装形態では、専用モデムプロセッサを有する代わりに、ベースバンド処理は汎用プロセッサまたはＤＳＰ（たとえば、汎用／アプリケーションプロセッサ１１１１または（１つまたは複数の）ＤＳＰ１１１２）によって実行され得る。ただし、これらはベースバンド処理を実行し得る構造の例にすぎず、請求される主題はこの点について限定されないことを理解されたい。
【００６０】
[00067]図１０は、たとえば、図１に関して上記で説明された技法またはプロセスを実装するように構成可能な１つまたは複数のデバイスを含み得る例示的なシステム１８００を示す概略図である。システム１８００は、たとえば、ワイヤレス通信ネットワークを通して互いに動作可能に結合され得る第１のデバイス１８０２と、第２のデバイス１８０４と、第３のデバイス１８０６とを含み得る。一態様では、第１のデバイス１８０２は、たとえば、図示のようにアクセスポイントを備え得る。一態様では、第２のデバイス１８０４はアクセスポイント（たとえば、ローカルトランシーバ１１５または基地局トランシーバ１１０）を備え得、第３のデバイス１８０６は移動局またはモバイルデバイスを備え得る。また、一態様では、デバイス１８０２、１８０４および１８０２は、ワイヤレス通信ネットワーク中に含まれ得、たとえば、１つまたは複数のワイヤレスアクセスポイントを備え得る。ただし、請求される主題はこれらの点で範囲が限定されない。
【００６１】
[00068]図１０に示されている第１のデバイス１８０２、第２のデバイス１８０４および第３のデバイス１８０６は、ワイヤレス通信ネットワークを介してデータを交換するように構成可能であり得る任意のデバイス、アプライアンスまたは機械を表し得る。限定ではなく例として、第１のデバイス１８０２、第２のデバイス１８０４、または第３のデバイス１８０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス１８０２、第２のデバイス１８０４、および第３のデバイス１８０６のいずれも、本明細書で説明される例によるアクセスポイントまたはモバイルデバイスのうちの１つまたは複数を備え得る。
【００６２】
[00069]同様に、図１０に示されているワイヤレス通信ネットワークは、第１のデバイス１８０２、第２のデバイス１８０４、および第３のデバイス１８０６のうちの少なくとも２つの間でのデータの交換をサポートするように構成可能な１つまたは複数の通信リンク、プロセス、またはリソースを表す。限定ではなく例として、ワイヤレス通信ネットワークは、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス１８０６の部分的に不明瞭にされたものとして示されている破線ボックスによって示されるように、ワイヤレス通信ネットワーク１８０８に動作可能に結合された追加の同様のデバイスがあり得る。
【００６３】
[00070]図１０に示されている様々なデバイスおよびネットワーク、ならびに本明細書でさらに説明されるプロセスおよび方法の全部または一部は、ハードウェア、ファームウェア、ソフトウェア、またはそれらの任意の組合せを使用して、またはさもなければ含めて実装され得ることを認識されたい。
【００６４】
[00071]したがって、限定ではなく例として、第２のデバイス１８０４は、バス１８２８を通してメモリ１８２２に動作可能に結合された少なくとも１つの処理ユニット１８２０を含み得る。
【００６５】
[00072]処理ユニット１８２０は、データ算出手順またはプロセスの少なくとも一部分を実行するように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００６６】
[00073]メモリ１８２２は任意のデータ記憶機構を表す。メモリ１８２２は、たとえば、プライマリメモリ１８２４またはセカンダリメモリ１８２６を含み得る。プライマリメモリ１８２４は、たとえば、ランダムアクセスメモリ、読取り専用メモリなどを含み得る。この例では処理ユニット１８２０とは別個であるものとして示されているが、プライマリメモリ１８２４の全部または一部は、処理ユニット１８２０内に設けられるか、またはさもなければ処理ユニット１８２０と共設／結合され得ることを理解されたい。特定の一実装形態では、メモリ１８２２および処理ユニット１８２０は、図２〜図４、図５Ａ、図５Ｂ、図６Ａおよび図６Ｂに関して上記で説明されたプロセスの１つまたは複数の態様を実行するように構成され得る。
【００６７】
[00074]セカンダリメモリ１８２６は、たとえば、プライマリメモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、セカンダリメモリ１８２６は、コンピュータ可読媒体１８４０を動作可能に受容可能であるか、またはさもなければそれに結合するように構成可能であり得る。コンピュータ可読媒体１８４０は、たとえば、システム１８００中のデバイスのうちの１つまたは複数のためにデータ、コードまたは命令を搬送するかまたはアクセス可能にすることができる任意の非一時的媒体を含み得る。コンピュータ可読媒体１８４０は記憶媒体と呼ばれることもある。
【００６８】
[00075]第２のデバイス１８０４は、たとえば、少なくともアンテナ１８０８を介したワイヤレス通信ネットワークへの第２のデバイス１８０４の動作可能な結合を与えるか、またはさもなければそれをサポートする通信インターフェース１８３０を含み得る。限定ではなく例として、通信インターフェース１８３０は、ネットワークインターフェースデバイスまたはカード、モデム、ルータ、スイッチ、トランシーバなどを含み得る。他の代替実装形態では、通信インターフェース１８３０は、ワイヤード／ＬＡＮインターフェース、ワイヤレスＬＡＮインターフェース（たとえば、ＩＥＥＥ規格８０２．１１ワイヤレスインターフェース）および／またはワイドエリアネットワーク（ＷＡＮ）エアインターフェースを備え得る。特定の実装形態では、通信インターフェース１８３０と組み合わせたアンテナ１８０８は、図２〜図４、図５Ａ、図５Ｂ、図６Ａおよび図６Ｂに示されている信号の送信および受信を実装するために使用され得る。
【００６９】
[00076]特定の一実装形態では、ＦＴＭ測定要求メッセージに応答したＡＣＫメッセージの送信が、処理ユニット１８３０からの命令または開始なしに、通信インターフェース１８３０において実行され得る。一方、ＦＴＭ範囲報告メッセージが、（たとえば、メモリ１８２０に記憶された１つまたは複数の機械可読命令の実行から）処理ユニット１８２０など、プログラマブルデバイスにおいて形成され得る。
【００７０】
[00077]第２のデバイス１８０４は、たとえば、入出力デバイス１８３２を含み得る。入出力デバイス１８３２は、人間または機械の入力を受け付けるか、またはさもなければそれを導入するように構成可能であり得る１つまたは複数のデバイスまたは特徴、あるいは人間または機械の出力を配信するか、またはさもなければそれを与えるように構成可能であり得る１つまたは複数のデバイスまたは特徴を表す。限定ではなく例として、入出力デバイス１８３２は、動作可能に構成されたディスプレイ、スピーカー、キーボード、マウス、トラックボール、タッチスクリーン、データポートなどを含み得る。
【００７１】
[00078]本明細書で使用される「アクセスポイント」という用語は、たとえば、ワイヤレスローカルエリアネットワークなど、ワイヤレス通信システムにおける通信を容易にするために使用される任意のワイヤレス通信局および／またはデバイスを含むように意図されるが、請求される主題の範囲はこの点について限定されない。別の態様では、アクセスポイントは、たとえば、ワイヤレスローカルエリアネットワーク（ＷＬＡＮ）アクセスポイントを備え得る。そのようなＷＬＡＮは、一態様では、ＩＥＥＥ規格８０２．１１の１つまたは複数のバージョンと互換性のあるおよび／またはそれに準拠するネットワークを備え得るが、請求される主題の範囲はこの点について限定されない。ＷＬＡＮアクセスポイントは、たとえば、１つまたは複数のモバイルデバイスとインターネットなどのネットワークとの間の通信を与え得る。
【００７２】
[00079]本明細書で使用される「モバイルデバイス」という用語は、変化する位置ロケーションを時々有し得るデバイスを指す。位置ロケーションの変化は、いくつかの例として、方向、距離、向きなどに対する変化を備え得る。特定の例では、モバイルデバイスは、セルラー電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、および／または他のポータブル通信デバイスを備え得る。モバイルデバイスは、機械可読命令によって制御される機能を実行するように適合されたプロセッサおよび／またはコンピューティングプラットフォームをも備え得る。
【００７３】
[00080]上記で説明されたように、特定の実施形態は、応答ワイヤレス局（ＳＴＡ）における方法であって、要求されたファインタイミング測定（ＦＴＭ）セッションのための拡張持続時間を指定する１つまたは複数のフィールドを備えるＦＴＭ要求メッセージを受信することと、拡張持続時間を指定する１つまたは複数のフィールドに少なくとも部分的に基づいて、開始ＳＴＡに１つまたは複数のＦＴＭメッセージを送信することとを備える方法を対象とする。特定の一実装形態では、指定された拡張持続時間は無期限持続時間を備える。別の特定の実装形態では、ＦＴＭ要求メッセージは、無期限持続時間を指定する少なくとも１つのビットを備える。別の特定の実装形態では、少なくとも１つのビットは、ＦＴＭ要求メッセージの「バースト持続時間」フィールド中にある。別の特定の実装形態では、少なくとも１つのビットは、少なくとも１つのフィールドの修正を指定する。別の特定の実装形態では、１つまたは複数のフィールドは、２よりも大きい底に対する指数を指定する「バースト数指数」を指定する。別の特定の実装形態では、底は、４、８または１０である。
【００７４】
[00081]同じく上記で説明されたように、特定の実施形態は、ワイヤレス局（ＳＴＡ）であって、トランシーバデバイスと、１つまたは複数のプロセッサとを備え、１つまたは複数のプロセッサが、開始ＳＴＡへのファインタイミング測定（ＦＴＭ）メッセージの送信のための要求されたセッションのための拡張持続時間を指定する１つまたは複数のフィールドを備える、トランシーバデバイスにおいて受信された初期ＦＴＭ要求メッセージを取得することと、拡張持続時間を指定する１つまたは複数のフィールドに少なくとも部分的に基づいて、開始ＳＴＡへのトランシーバデバイスを通した１つまたは複数のＦＴＭメッセージの送信を開始することとを行うように構成された、ワイヤレスＳＴＡを対象とする。特定の一実装形態では、指定された拡張持続時間は無期限持続時間を備える。別の特定の実装形態では、ＦＴＭ要求メッセージは、無期限持続時間を指定する少なくとも１つのビットを備える。別の特定の実装形態では、少なくとも１つのビットは、ＦＴＭ要求メッセージの「バースト持続時間」フィールド中にある。別の特定の実装形態では、少なくとも１つのビットは、少なくとも１つのフィールドの修正を指定する。別の特定の実装形態では、１つまたは複数のフィールドは、２よりも大きい底に対する指数を指定する「バースト数指数」を指定する。別の特定の実装形態では、底は、４、８または１０である。
【００７５】
[00082]同じく上記で説明されたように、特定の実施形態は、応答ワイヤレス局（ＳＴＡ）のプロセッサによって、開始ＳＴＡへのファインタイミング測定（ＦＴＭ）メッセージの送信のための要求されたセッションのための拡張持続時間を指定する１つまたは複数のフィールドを備える、応答ＳＴＡにおいて受信された初期ＦＴＭ要求メッセージを取得することと、拡張持続時間を指定する１つまたは複数のフィールドに少なくとも部分的に基づいて、開始ＳＴＡへのトランシーバデバイスを通した１つまたは複数のＦＴＭメッセージの送信を開始することとを行うために実行可能である、その上に記憶されたコンピュータ可読命令を備える記憶媒体を対象とする。特定の一実装形態では、指定された拡張持続時間は無期限持続時間を備える。別の特定の実装形態では、ＦＴＭ要求メッセージは、無期限持続時間を指定する少なくとも１つのビットを備える。別の特定の実装形態では、少なくとも１つのビットは、ＦＴＭ要求メッセージの「バースト持続時間」フィールド中にある。別の特定の実装形態では、少なくとも１つのビットは、少なくとも１つのフィールドの修正を指定する。別の特定の実装形態では、１つまたは複数のフィールドは、２よりも大きい底に対する指数を指定する「バースト数指数」を指定する。別の特定の実装形態では、底は、４、８または１０である。
【００７６】
[00083]同じく上記で説明されたように、特定の実施形態は、ワイヤレス局（ＳＴＡ）であって、開始ＳＴＡへのファインタイミング測定（ＦＴＭ）メッセージの送信のための要求されたセッションのための拡張持続時間を指定する１つまたは複数のフィールドを備える初期ＦＴＭ要求メッセージを受信するための手段と、拡張持続時間を指定する１つまたは複数のフィールドに少なくとも部分的に基づいて、開始ＳＴＡに１つまたは複数のＦＴＭメッセージを送信するための手段とを備えるワイヤレスＳＴＡを対象とする。特定の一実装形態では、指定された拡張持続時間は無期限持続時間を備える。別の特定の実装形態では、ＦＴＭ要求メッセージは、無期限持続時間を指定する少なくとも１つのビットを備える。別の特定の実装形態では、少なくとも１つのビットは、ＦＴＭ要求メッセージの「バースト持続時間」フィールド中にある。別の特定の実装形態では、少なくとも１つのビットは、少なくとも１つのフィールドの修正を指定する。別の特定の実装形態では、１つまたは複数のフィールドは、２よりも大きい底に対する指数を指定する「バースト数指数」を指定する。別の特定の実装形態では、底は、４、８または１０である。
【００７７】
[00084]同じく上記で説明されたように、特定の実施形態は、応答ワイヤレス局（ＳＴＡ）における方法であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信することとを備える、方法を対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００７８】
[00085]同じく上記で説明されたように、特定の実施形態は、開始ワイヤレス局（ＳＴＡ）における方法であって、開始ＳＴＡへのファインタイミング測定（ＦＴＭ）メッセージの１つまたは複数のバーストの送信のためのセッションにおいて応答ＳＴＡからのＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための少なくとも１つのＦＴＭメッセージを応答ＳＴＡから受信することとを備える、方法を対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００７９】
[00086]同じく上記で説明されたように、特定の実施形態は、ワイヤレス局（ＳＴＡ）であって、トランシーバデバイスと、１つまたは複数のプロセッサとを備え、１つまたは複数のプロセッサが、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための、第１の開始ＳＴＡへのトランシーバデバイスを通した少なくとも１つのＦＴＭメッセージの送信を開始することとを行うように構成された、ワイヤレスＳＴＡを対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８０】
[00087]同じく上記で説明されたように、特定の実施形態は、ワイヤレス局（ＳＴＡ）であって、トランシーバデバイスと、１つまたは複数のプロセッサとを備え、１つまたは複数のプロセッサが、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための、開始ＳＴＡへの少なくとも１つのＦＴＭメッセージを取得することとを行うように構成された、ワイヤレスＳＴＡを対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８１】
[00088]同じく上記で説明されたように、特定の実施形態は、応答ワイヤレス局（ＳＴＡ）における方法であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートすることと、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信することとを備える、方法を対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８２】
[00089]同じく上記で説明されたように、特定の実施形態は、開始ワイヤレス局（ＳＴＡ）における方法であって、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートすることと、セッションの完了より前に、セッションの残りの部分について、ネゴシエートされたパラメータのうちの１つまたはを改変するための、開始ＳＴＡへの少なくとも１つのＦＴＭメッセージを受信することとを備える、方法を対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８３】
[00090]同じく上記で説明されたように、特定の実施形態は、ワイヤレス局（ＳＴＡ）であって、第１の開始ＳＴＡへのファインタイミング測定（ＦＴＭ）メッセージの１つまたは複数のバーストの送信のための第１のセッションにおいてＦＴＭメッセージの１つまたは複数のバーストの送信のためのパラメータをネゴシエートするための手段と、第１のセッションの完了より前に、第１のセッションの残りの部分について、ネゴシエートされたパラメータのうちの少なくとも１つを改変するための少なくとも１つのＦＴＭメッセージを第１の開始ＳＴＡに送信するための手段とを備える、ワイヤレスＳＴＡを対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８４】
[00091]同じく上記で説明されたように、特定の実施形態は、ワイヤレス局（ＳＴＡ）であって、開始ＳＴＡへのファインタイミング測定（ＦＴＭ）メッセージの１つまたは複数のバーストの送信のためのセッションにおいてＦＴＭメッセージの１つまたは複数のバーストの送信のためのパラメータをネゴシエートするための手段と、第１のセッションの完了より前に、セッションの残りの部分について、ネゴシエートされたパラメータのうちの１つまたはを改変するための、開始ＳＴＡへの少なくとも１つのＦＴＭメッセージを受信するための手段とを備える、ワイヤレスＳＴＡを対象とする。特定の実装形態では、ネゴシエートされたパラメータは、ＦＴＭメッセージのバーストの数、バースト当たりのフレームの数、バースト中のＦＴＭメッセージの送信間の最小時間またはバースト期間、あるいはそれらの組合せを備え得る。別の特定の実装形態では、少なくとも１つのＦＴＭメッセージは、ＦＴＭ要求トリガメッセージの受信に応答して送信される。別の特定の実装形態では、少なくとも１つのＦＴＭメッセージは、第１のセッションにおけるＦＴＭメッセージの送信のためのリソースに影響を及ぼす少なくとも１つの状態の検出に応答して送信される。別の特定の実装形態では、少なくとも１つの状態は、１つまたは複数の第２の開始ＳＴＡへのＦＴＭメッセージの１つまたは複数のバーストの送信のための１つまたは複数の第２のセッションを備える。
【００８５】
[00092]本明細書で説明された方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明された機能を実行するように設計された他のデバイスユニット、またはそれらの組合せ内に実装され得る。
【００８６】
[00093]アルゴリズム記述および／または記号表現は、信号処理および／または関連技術の当業者によって、自身の仕事の本質を他の当業者に伝達するために使用される技法の例である。アルゴリズムは、本明細書では、および一般には、所望の結果をもたらす自己無撞着な一連の演算および／または同様の信号処理であると考えられる。このコンテキストでは、演算および／または処理は物理量の物理的操作を伴う。一般に、必ずしもそうとは限らないが、そのような量は、信号測定値、テキスト、画像、ビデオ、オーディオなど、様々な形態のコンテンツを表す電子信号および／または状態として記憶、転送、合成、比較、処理、またはさもなければ操作されることが可能な電気および／または磁気信号および／または状態の形態をとり得る。主に一般的な用法という理由で、そのような物理的信号および／または物理的状態を、ビット、バイト、値、要素、記号、文字、項、数、数字、式、メッセージ、フィールド、識別子フレーム、測定値、コンテンツなどと呼ぶことが時々便利であることがわかっている。ただし、これらおよび／または同様の用語のすべては、適切な物理量に関連付けられるべきであり、便利なラベルにすぎないことを理解されたい。別段に明記されていない限り、上記の説明から明らかなように、本明細書全体にわたって、「処理すること」、「算出すること」、「計算すること」、「決定すること」、「確立すること」、「取得すること」、「識別すること」、「選択すること」、「生成すること」などの用語を利用する説明は、専用コンピュータならびに／あるいは同様の専用コンピューティングおよび／またはネットワークデバイスなど、特定の装置のアクションおよび／またはプロセスを指すことがあることを諒解されたい。したがって、本明細書のコンテキストでは、専用コンピュータならびに／あるいは同様の専用コンピューティングおよび／またはネットワークデバイスは、専用コンピュータならびに／あるいは同様の専用コンピューティングおよび／またはネットワークデバイスのメモリ、レジスタ、および／または他のストレージデバイス、送信デバイス、および／またはディスプレイデバイス内の、電子的および／または磁気的な物理量として一般に表される信号および／または状態を処理、操作および／または変換することが可能である。この特定の特許出願のコンテキストでは、上述のように、「特定の装置」という用語は、プログラムソフトウェアからの命令に従って特定の機能を実行するようにプログラムされた後の汎用コンピュータなど、汎用コンピューティングおよび／またはネットワークデバイスを含み得る。
【００８７】
[00094]いくつかの状況では、バイナリ１からバイナリ０への、またはその逆の状態の変化など、メモリデバイスの動作は、たとえば、物理的変換などの変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変化は、電荷の累積および／または蓄積、あるいは蓄積された電荷の解放を伴い得る。同様に、他のメモリデバイスでは、状態の変化は、磁気方位の変換、および／あるいは、結晶状からアモルファスへの、またはその逆などの、分子構造の物理的変化および／または変換など、物理的変化を備え得る。さらに他のメモリデバイスでは、物理的状態の変化は、たとえば、量子ビット（キュビット）を伴い得る、重ね合わせ、絡み合いなど、量子力学的現象を伴い得る。上記は、メモリデバイスにおけるバイナリ１からバイナリ０への、またはその逆の状態の変化が物理的変換などの変換を備え得る、すべての例の網羅的なリストであることを意図されない。むしろ、上記は例示的な例として意図される。
【００８８】
[00095]本明細書で説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。このコンテキストでは、「ワイヤレス通信ネットワーク」は、１つまたは複数のワイヤレス通信リンクを通して互いと通信することが可能な複数のデバイスまたはノードを備える。たとえば、図１に示されているように、ワイヤレス通信ネットワークは、モバイルデバイス１００ａ、１００ｂ、１１５ａおよび１１５ｂからの２つまたはそれ以上のデバイスを備え得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」：Global System for Mobile Communications）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ（登録商標）」：3rd Generation Partnership Project）と称する団体からの文書に記載されている。ｃｄｍａ２０００は、「第３世代パートナーシッププロジェクト２」（「３ＧＰＰ２」：3rd Generation Partnership Project
2）と称する団体からの文書に記載されている。３ＧＰＰおよび３ＧＰＰ２の文書は公的に入手可能である。４Ｇロングタームエボリューション（「ＬＴＥ」）通信ネットワークも、一態様において、請求される主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００８９】
[00096]別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【００９０】
[00097]本明細書で説明された技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳまたはＣＤＭＡセルラー信号と同様の）他のレンジングコードをブロードキャストする地上送信機を含み得る。そのような送信機は、遠隔受信機による識別を可能にするように一意のＰＮコードを割り当てられ得る。地上波送信機は、たとえば、トンネルの中、鉱山内、建築物の中、ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用される「ＳＶ」という用語は、スードライト、スードライトの等価物、および場合によっては他のものとして働く地上波送信機を含むものとする。本明細書で使用される「ＳＰＳ信号」および／または「ＳＶ信号」という用語は、スードライトまたはスードライトの等価物として働く地上波送信機を含む、地上波送信機からのＳＰＳ様の信号を含むものとする。
【００９１】
[00098]同様に、このコンテキストでは、「結合された（coupled）」、「接続された（connected）」という用語、および／または同様の用語が、一般的に使用される。これらの用語は類義語として意図されないことを理解されたい。むしろ、「接続された」は、一般的に、２つまたはそれ以上の構成要素が、たとえば、電気的に接触していることを含む、直接物理的に接触していることを示すために使用され、「結合された」は、一般的に、２つまたはそれ以上の構成要素が潜在的に、電気的に接触していることを含む、直接物理的に接触していることを意味するために使用されるが、「結合された」はまた、一般的に、２つまたはそれ以上の構成要素が必ずしも直接接触しているとは限らないが、とはいえ、協働および／または対話することが可能であることを意味するためにも使用される。結合されたという用語はまた、一般的に、たとえば、適切なコンテキストでは、間接的に接続されていることを意味すると理解される。
【００９２】
[00099]本明細書で使用される「および」、「または」、「および／または」という用語、および／または同様の用語は、そのような用語が使用される特定のコンテキストに少なくとも部分的に依存することも予想される様々な意味を含む。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用される「１つまたは複数の」という用語および／または同様の用語は、単数形の任意の特徴、構造、および／または特性について説明するために使用され、ならびに／あるいは複数の特徴、構造および／または特性、ならびに／あるいは特徴、構造または特性の何らかの他の組合せについて説明するために使用される。同様に、「に基づいて」という用語および／または同様の用語は、ファクタの排他的セットを表すことを必ずしも意図するものとは限らず、必ずしも明確に説明されるとは限らない追加のファクタの存在を考慮に入れることを意図するものとして理解される。もちろん、上記のすべてについて、説明および／または使用の特定のコンテキストは、引き出されるべき推論に関する有用なガイダンスを与える。以下の説明は１つまたは複数の例示的な例を与えるにすぎず、請求される主題はこれらの１つまたは複数の例に限定されないが、この場合も、説明および／または使用の特定のコンテキストは、引き出されるべき推論に関する有用なガイダンスを与えることに留意されたい。
【００９３】
[000100]このコンテキストでは、ネットワークデバイスという用語は、ネットワークを介しておよび／またはネットワークの一部として通信することが可能な任意のデバイスを指し、コンピューティングデバイスを備え得る。ネットワークデバイスは、ワイヤードおよび／またはワイヤレスネットワークを介してなど、信号（たとえば、信号パケットおよび／またはフレーム）を送信および／または受信することが可能であり得るが、ネットワークデバイスはまた、物理的メモリ状態としてメモリ中でなど、算術および／または論理演算を実行すること、信号を処理および／または記憶することが可能であり得、ならびに／あるいは、たとえば、様々な実施形態では、サーバとして動作し得る。サーバなどとして動作することが可能なネットワークデバイスは、例として、専用ラックマウント式サーバ、デスクトップコンピュータ、ラップトップコンピュータ、セットトップボックス、タブレット、ネットブック、スマートフォン、ウェアラブルデバイス、上記のデバイスの２つまたはそれ以上の特徴を組み合わせた集積デバイスなど、またはそれらの任意の組合せを含み得る。信号パケットおよび／またはフレームは、たとえば、ワイヤレスネットワークを介して結合されたワイヤレスデバイス間を含む、たとえば、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語も互換的に使用される。いくつかの事例では、説明しやすいように、これらの用語は、「クライアントデバイス」または「サーバデバイス」に言及することによってなど、単数形で使用され得るが、説明は、適宜に、１つまたは複数のクライアントデバイスおよび／または１つまたは複数のサーバデバイスを包含するものとする。同様の方針に沿って、「データベース」への言及は、適宜に、１つまたは複数のデータベースおよび／またはそれの部分を意味すると理解される。
【００９４】
[000101]説明しやすいように、（ネットワーキングデバイスとも呼ばれる）ネットワークデバイスは、コンピューティングデバイスに関して実施および／または説明され得ることを理解されたい。しかしながら、この説明は、請求される主題が、コンピューティングデバイスおよび／またはネットワークデバイスなど、一実施形態に限定されることと決して解釈されるべきではなく、代わりに、たとえば、１つまたは複数の例示的な例を含む、様々なデバイスまたはそれらの組合せとして実施され得ることと解釈されるべきであることをさらに理解されたい。本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。現在例示的な特徴と考えられることが例示され説明されたが、請求される主題から逸脱することなく、様々な他の修正が行われ得、均等物が代用され得ることが、当業者には理解されよう。さらに、本明細書で説明された中心概念から逸脱することなく、請求される主題の教示に特定の状況を適合させるための多くの修正が行われ得る。したがって、請求される主題は、開示された特定の例に限定されず、そのような請求される主題はまた、添付の特許請求の範囲内に入るすべての態様とそれらの均等物とを含み得るものとする。
【図１】
2019500772.tif 000003
【図２】
2019500772.tif 000004
【図３】
2019500772.tif 000005
【図４】
2019500772.tif 000006
【図５Ａ】
2019500772.tif 000007
【図５Ｂ】
2019500772.tif 000008
【図６Ａ】
2019500772.tif 000009
【図６Ｂ】
2019500772.tif 000010
【図７】
2019500772.tif 000011
【図８】
2019500772.tif 000012
【図９】
2019500772.tif 000013
【図１０】
2019500772.tif 000014
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
開始ワイヤレス局（ＳＴＡ）における、
要求されたファインタイミング測定（ＦＴＭ）セッションのための拡張持続時間を指定する１つまたは複数のフィールドを備えるＦＴＭ要求メッセージを送信することと、
前記要求されたＦＴＭセッションのためのパラメータにおける改変を要求する１つまたは複数のフィールドを備えるファインタイミング測定（ＦＴＭ）メッセージを受信することと
を備える、方法。
【請求項２】
前記要求されたＦＴＭセッションのためのパラメータにおける前記要求された改変を受け付けることと、前記要求されたＦＴＭセッションの残りのためにＦＴＭメッセージを受信し続けることと
をさらに備える、請求項１に記載の方法。
【請求項３】
前記要求されたＦＴＭセッションのためのパラメータにおける前記要求された改変を受け付ける代わりに前記要求されたＦＴＭセッションを終了することをさらに備える、
請求項１に記載の方法。
【請求項４】
前記要求された改変は、バーストパラメータの数、バーストパラメータ当たりのフレーム、最小デルタＦＴＭパラメータ、バースト期間パラメータまたはバースト持続時間パラメータ、あるいはこれらの組み合わせのうちの１つまたは複数の変更を備える、
請求項１に記載の方法。
【請求項５】
拡張された持続時間を指定する前記１つまたは複数のフィールドは、前記ＦＴＭメッセージのためのバースト持続時間を指定する、
請求項１に記載の方法。
【請求項６】
拡張持続時間を指定する前記１つまたは複数のフィールドは、２よりも大きい底に対する指数を指定する「バースト数指数」を指定する、
請求項１に記載の方法。
【請求項７】
前記底は、４、８または１０である、
請求項６に記載の方法。
【請求項８】
ワイヤレス局（ＳＴＡ）であって、
トランシーバデバイスと、
前記トランシーバデバイスに結合された１つまたは複数のプロセッサと
を備え、前記１つまたは複数のプロセッサは、
要求されたファインタイミング測定（ＦＴＭ）セッションのための拡張持続時間を指定する１つまたは複数のフィールドを備えるＦＴＭ要求メッセージの、前記トランシーバデバイスを通した送信を開始することと、
前記要求されたＦＴＭセッションのためのパラメータにおける改変を要求する１つまたは複数のフィールドを備えるファインタイミング測定（ＦＴＭ）メッセージを取得することと
を行うように構成された、ワイヤレスＳＴＡ。
【請求項９】
前記要求されたＦＴＭセッションのためのパラメータにおける前記要求された改変を受け付けることと、前記要求されたＦＴＭセッションの残りのためにＦＴＭメッセージを受信し続けることと
をさらに備える、請求項８に記載のワイヤレスＳＴＡ。
【請求項１０】
前記要求されたＦＴＭセッションのためのパラメータにおける前記要求された改変を受け付ける代わりに前記要求されたＦＴＭセッションを終了することをさらに備える、
請求項８に記載のワイヤレスＳＴＡ。
【請求項１１】
前記要求された改変は、バーストパラメータの数、バーストパラメータ当たりのフレーム、最小デルタＦＴＭパラメータ、バースト期間パラメータまたはバースト持続時間パラメータ、あるいはこれらの組み合わせのうちの１つまたは複数の変更を備える
請求項８に記載のワイヤレスＳＴＡ。
【請求項１２】
拡張持続時間を指定する前記１つまたは複数のフィールドは、２よりも大きい底に対する指数を指定する「バースト数指数」を指定する、
請求項８に記載のワイヤレスＳＴＡ。
【請求項１３】
前記底は、４、８または１０である、
請求項１２に記載のワイヤレスＳＴＡ。
【請求項１４】
応答ワイヤレス局（ＳＴＡ）のプロセッサによって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージの、前記ワイヤレス局トランシーバデバイスを通した前記送信を開始することと、
前記要求されたＦＴＭセッションのためのパラメータにおける改変を要求する１つまたは複数のフィールドを備えるファインタイミング測定（ＦＴＭ）メッセージを取得することと
を行うために実行可能である、その上に記憶されたコンピュータ可読命令を備える記憶媒体。
【請求項１５】
前記要求されたＦＴＭセッションのためのパラメータにおける前記要求された改変を受け付けることと、前記要求されたＦＴＭセッションの残りのためにＦＴＭメッセージを受信し続けることと
をさらに備える、請求項１４に記載の記憶媒体。
【請求項１６】
前記要求されたＦＴＭセッションのためのパラメータにおける前記要求された改変を受け付ける代わりに前記要求されたＦＴＭセッションを終了することをさらに備える、
請求項１４に記載の記憶媒体。
【請求項１７】
前記要求された改変は、バーストパラメータの数、バーストパラメータ当たりのフレーム、最小デルタＦＴＭパラメータ、バースト期間パラメータまたはバースト持続時間パラメータ、あるいはこれらの組み合わせのうちの１つまたは複数の変更を備える、
請求項１４に記載の記憶媒体。
【請求項１８】
拡張持続時間を指定する前記１つまたは複数のフィールドは、２よりも大きい底に対する指数を指定する「バースト数指数」を指定する、
請求項１４に記載の記憶媒体。
【請求項１９】
前記底は、４、８または１０である、
請求項１８に記載の記憶媒体。
【請求項２０】
ワイヤレス局（ＳＴＡ）であって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージを前記送信するための手段と、
前記要求されたＦＴＭセッションのためのパラメータにおける改変を要求する１つまたは複数のフィールドを備えるファインタイミング測定（ＦＴＭ）メッセージを取得するための手段と
を備える、ＳＴＡ。
【請求項２１】
前記要求されたＦＴＭセッションのためのパラメータにおける前記要求された改変を受け付けることと、前記要求されたＦＴＭセッションの残りのためにＦＴＭメッセージを受信し続けることと
をさらに備える、請求項２０に記載のＳＴＡ。
【請求項２２】
前記要求されたＦＴＭセッションのためのパラメータにおける前記要求された改変を受け付ける代わりに前記要求されたＦＴＭセッションを終了することをさらに備える、
請求項２１に記載のＳＴＡ。
【請求項２３】
前記要求された改変は、バーストパラメータの数、バーストパラメータ当たりのフレーム、最小デルタＦＴＭパラメータ、バースト期間パラメータまたはバースト持続時間パラメータ、あるいはこれらの組み合わせのうちの１つまたは複数の変更を備える、
請求項２２に記載のＳＴＡ。
【請求項２４】
拡張持続時間を指定する前記１つまたは複数のフィールドは、２よりも大きい底に対する指数を指定する「バースト数指数」を指定する、
請求項２０に記載のＳＴＡ。
【請求項２５】
前記底は、４、８または１０である、
請求項２４に記載のＳＴＡ。
【請求項２６】
応答ワイヤレス局（ＳＴＡ）における、
第１の開始ＳＴＡへのファインタイミング測定（ＦＴＭ）メッセージの１つまたは複数のバーストの送信のための第１のセッションにおいて前記ＦＴＭメッセージの１つまたは複数のバーストの前記送信のためのパラメータをネゴシエートすることと、
前記第１のセッションの完了より前に、前記第１のセッションの残りの部分について、前記ネゴシエートされたパラメータのうちの少なくとも１つを改変するための少なくとも１つのＦＴＭメッセージを前記第１の開始ＳＴＡに送信することと
を備える、方法。
【手続補正２】
【補正対象書類名】明細書
【補正対象項目名】００９４
【補正方法】変更
【補正の内容】
【００９４】
[000101]説明しやすいように、（ネットワーキングデバイスとも呼ばれる）ネットワークデバイスは、コンピューティングデバイスに関して実施および／または説明され得ることを理解されたい。しかしながら、この説明は、請求される主題が、コンピューティングデバイスおよび／またはネットワークデバイスなど、一実施形態に限定されることと決して解釈されるべきではなく、代わりに、たとえば、１つまたは複数の例示的な例を含む、様々なデバイスまたはそれらの組合せとして実施され得ることと解釈されるべきであることをさらに理解されたい。本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。現在例示的な特徴と考えられることが例示され説明されたが、請求される主題から逸脱することなく、様々な他の修正が行われ得、均等物が代用され得ることが、当業者には理解されよう。さらに、本明細書で説明された中心概念から逸脱することなく、請求される主題の教示に特定の状況を適合させるための多くの修正が行われ得る。したがって、請求される主題は、開示された特定の例に限定されず、そのような請求される主題はまた、添付の特許請求の範囲内に入るすべての態様とそれらの均等物とを含み得るものとする。
以下に、本願出願の当初の特許請求の範囲に記載された発明を付記する。
［Ｃ１］
開始ワイヤレス局（ＳＴＡ）における、
要求されたファインタイミング測定（ＦＴＭ）セッションのための拡張持続時間を指定する１つまたは複数のフィールドを備えるＦＴＭ要求メッセージを送信することと、
前記ＦＴＭ要求メッセージに応答して送信された１つまたは複数のＦＴＭメッセージを受信することと
を備える、方法。
［Ｃ２］
前記指定された拡張持続時間は、無期限持続時間を備える、
［Ｃ１］に記載の方法。
［Ｃ３］
前記初期ＦＴＭ要求メッセージは、前記無期限持続時間を指定する少なくとも１つのビットを備える、
［Ｃ２］に記載の方法。
［Ｃ４］
前記少なくとも１つのビットは、前記ＦＴＭ要求メッセージの「バースト持続時間」フィールド中にある、
［Ｃ３］に記載の方法。
［Ｃ５］
前記少なくとも１つのビットは、少なくとも１つのフィールドの修正を指定する、
［Ｃ３］に記載の方法。
［Ｃ６］
前記１つまたは複数のフィールドは、２よりも大きい底に対する指数を指定する「バースト数指数」を指定する、
［Ｃ１］に記載の方法。
［Ｃ７］
前記底は、４、８または１０である、
［Ｃ６］に記載の方法。
［Ｃ８］
ワイヤレス局（ＳＴＡ）であって、
トランシーバデバイスと、
前記トランシーバデバイスに結合された１つまたは複数のプロセッサと
を備え、前記１つまたは複数のプロセッサは、
要求されたファインタイミング測定（ＦＴＭ）セッションのための拡張持続時間を指定する１つまたは複数のフィールドを備えるＦＴＭ要求メッセージの、前記トランシーバデバイスを通した送信を開始することと、
前記トランシーバデバイスにおいて受信され、前記ＦＴＭ要求メッセージに応答して送信された１つまたは複数のＦＴＭメッセージを取得することと
を行うように構成された、ワイヤレスＳＴＡ。
［Ｃ９］
前記指定された拡張持続時間は、無期限持続時間を備える、
［Ｃ８］に記載のワイヤレスＳＴＡ。
［Ｃ１０］
前記初期ＦＴＭ要求メッセージは、前記無期限持続時間を指定する少なくとも１つのビットを備える、
［Ｃ９］に記載のワイヤレスＳＴＡ。
［Ｃ１１］
前記少なくとも１つのビットは、少なくとも１つのフィールドの修正を指定する、
［Ｃ１０］に記載のワイヤレスＳＴＡ。
［Ｃ１２］
前記１つまたは複数のフィールドは、２よりも大きい底に対する指数を指定する「バースト数指数」を指定する、
［Ｃ８］に記載のワイヤレスＳＴＡ。
［Ｃ１３］
前記底は、４、８または１０である、
［Ｃ１２］に記載のワイヤレスＳＴＡ。
［Ｃ１４］
応答ワイヤレス局（ＳＴＡ）のプロセッサによって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージの、前記ワイヤレス局トランシーバデバイスを通した前記送信を開始することと、
前記応答ＳＴＡにおいて受信され、前記ＦＴＭ要求メッセージに応答して送信された１つまたは複数のＦＴＭメッセージを取得することと
を行うために実行可能である、その上に記憶されたコンピュータ可読命令を備える記憶媒体。
［Ｃ１５］
前記指定された拡張持続時間は、無期限持続時間を備える、
［Ｃ１４］に記載の記憶媒体。
［Ｃ１６］
前記初期ＦＴＭ要求メッセージは、前記無期限持続時間を指定する少なくとも１つのビットを備える、
［Ｃ１５］に記載の記憶媒体。
［Ｃ１７］
前記少なくとも１つのビットは、少なくとも１つのフィールドの修正を指定する、
［Ｃ１６］に記載の記憶媒体。
［Ｃ１８］
前記１つまたは複数のフィールドは、２よりも大きい底に対する指数を指定する「バースト数指数」を指定する、
［Ｃ１４］に記載の記憶媒体。
［Ｃ１９］
前記底は、４、８または１０である、
［Ｃ１８］に記載の記憶媒体。
［Ｃ２０］
ワイヤレス局（ＳＴＡ）であって、
開始ＳＴＡへのファインタイミング測定（ＦＴＭ）メッセージの送信のための要求されたセッションのための拡張持続時間を指定する１つまたは複数のフィールドを備えるＦＴＭ要求メッセージを前記送信するための手段と、
前記ＦＴＭ要求メッセージに応答して送信された１つまたは複数のＦＴＭメッセージを受信するための手段と
を備える、ＳＴＡ。
［Ｃ２１］
前記指定された拡張持続時間は、無期限持続時間を備える、
［Ｃ２０］に記載のＳＴＡ。
［Ｃ２２］
前記初期ＦＴＭ要求メッセージは、前記無期限持続時間を指定する少なくとも１つのビットを備える、
［Ｃ２１］に記載のＳＴＡ。
［Ｃ２３］
前記少なくとも１つのビットは、少なくとも１つのフィールドの修正を指定する、
［Ｃ２２］に記載のＳＴＡ。
［Ｃ２４］
前記１つまたは複数のフィールドは、２よりも大きい底に対する指数を指定する「バースト数指数」を指定する、
［Ｃ２０］に記載のＳＴＡ。
［Ｃ２５］
前記底は、４、８または１０である、
［Ｃ２４］に記載のＳＴＡ。
【国際調査報告】
2019500772.tif 000015
2019500772.tif 000016
2019500772.tif 000017
2019500772.tif 000018